(57)【要約】【課題】記録媒体の加熱によるインク溶媒の除去を促進するとともに、記録媒体の部分的な熱変形を防止する。【解決手段】画像データに基づいて記録媒体に液体を液滴として吐出する吐出ヘッドと、前記記録媒体を保持する保持手段を有し、前記記録媒体を前記保持手段に保持して前記吐出ヘッドに対して搬送する搬送手段と、前記保持手段に設けられた、前記記録媒体の任意の一部分を選択的に加熱可能な加熱手段と、前記画像データに基づいて前記加熱手段を制御する制御手段とを備え、前記記録媒体上の液体吐出率が所定値以上の領域に対しては、前記記録媒体の許容温度を設定温度とするとともに、液体吐出率が所定値以下の領域に対しては、前記許容温度より低い所定温度を設定温度とした加熱パターンにより、前記記録媒体を液体吐出前から液体吐出後にかけて加熱する。【選択図】図１
2008044367.tif 000002
【特許請求の範囲】
【請求項１】
画像データに基づいて記録媒体に液体を液滴として吐出する吐出ヘッドと、
前記記録媒体を保持する保持手段を有し、前記記録媒体を前記保持手段に保持して前記吐出ヘッドに対して搬送する搬送手段と、
前記保持手段に設けられた、前記記録媒体の任意の一部分を選択的に加熱可能な加熱手段と、
前記画像データに基づいて前記加熱手段を制御する制御手段と、
を備え、前記記録媒体上の液体吐出率が所定値以上の領域に対しては、前記記録媒体の許容温度以下を第１の設定温度とするとともに、液体吐出率が所定値以下の領域に対しては、前記第１の設定温度より低い所定温度を第２の設定温度とした加熱パターンにより、前記記録媒体を液体吐出前から加熱することを特徴とする画像形成装置。
【請求項２】
請求項１に記載の画像形成装置であって、さらに、前記保持手段が保持している前記記録媒体に対する処理が終了した後、前記保持手段が次の記録媒体を保持する前に、前記加熱手段を冷却して前回の記録媒体に対する加熱パターンを消去する冷却手段を有することを特徴とする画像形成装置。
【請求項３】
前記搬送手段はベルトコンベアであり、前記保持手段は前記ベルトコンベア上に設けられ前記記録媒体の端部を保持する平板状のプラテンであり、前記加熱手段は前記プラテン上に一定の隙間を有してマトリクス状に配列された複数のフラットな方形のセラミックヒータで構成されることを特徴とする請求項１または２に記載の画像形成装置。
【請求項４】
前記液体吐出ヘッドは、４色のインクを吐出するインク吐出ヘッドであり、４色のインクの各吐出率の合計が２００％以上となる前記記録媒体上の領域に対しては、前記記録媒体の許容温度以下を第１の設定温度とするとともに、４色のインクの各吐出率の合計が５０％以下となる前記記録媒体上の領域に対しては、前記第１の設定温度より低い所定温度を第２の設定温度とした加熱パターンにより、前記記録媒体をインク吐出前からインク吐出後にかけて加熱することを特徴とする請求項１〜３のいずれかに記載の画像形成装置。
【請求項５】
前記インクは顔料を色材としシクロヘキサノンを溶剤とした溶剤インクであり、前記記録媒体は軟質塩化ビニールシートであることを特徴とする請求項４に記載の画像形成装置。
【請求項６】
画像データに基づいて記録媒体上に液体を液滴として吐出して画像を形成する画像形成方法であって、
前記画像データに基づいて、前記記録媒体に対する液体吐出率を算出し、
前記記録媒体上の液体吐出率が所定値以上の領域に対しては、前記記録媒体の許容温度以下を第１の設定温度とするとともに、液体吐出率が所定値以下の領域に対しては、前記第１の設定温度より低い所定温度を第２の設定温度とし、
前記記録媒体に液体を吐出する前から前記液体吐出率に応じた前記領域ごとに設定された前記設定温度による温度制御を行い、
前記記録媒体に液体を吐出した後は、前記液体吐出率に関係なく前記第２の設定温度による温度制御を行うことを特徴とする画像形成方法。
【請求項７】
液体吐出データに基づいて記録媒体に液体を液滴として吐出する吐出ヘッドと、
前記記録媒体を保持する保持手段を有し、前記記録媒体を前記保持手段に保持して前記吐出ヘッドに対して搬送する搬送手段と、
前記保持手段に設けられた、前記記録媒体の任意の一部分を選択的に加熱可能な加熱手段と、
前記液体吐出データに基づいて前記加熱手段を制御する制御手段と、
を備え、前記記録媒体上の液体吐出率が所定値以上の領域に対しては、前記記録媒体の許容温度以下を第１の設定温度とするとともに、液体吐出率が所定値以下の領域に対しては、前記第１の設定温度より低い所定温度を第２の設定温度とした加熱パターンにより、前記記録媒体を液体吐出前から加熱することを特徴とする液滴吐出装置。
【請求項８】
液体吐出データに基づいて記録媒体上に液体を液滴として吐出する液滴吐出方法であって、
前記液体吐出データに基づいて、前記記録媒体に対する液体吐出率を算出し、
前記記録媒体上の液体吐出率が所定値以上の領域に対しては、前記記録媒体の許容温度以下を第１の設定温度とするとともに、液体吐出率が所定値以下の領域に対しては、前記第１の設定温度より低い所定温度を第２の設定温度とし、
前記記録媒体に液体を吐出する前から前記液体吐出率に応じた前記領域ごとに設定された前記設定温度による温度制御を行い、
前記記録媒体に液体を吐出した後は、前記液体吐出率に関係なく前記第２の設定温度による温度制御を行うことを特徴とする液滴吐出方法。
【発明の詳細な説明】
【技術分野】
【０００１】
本発明は、インクを液滴として記録媒体に吐出して画像を形成する画像形成装置及び画像形成方法に係り、特に、顔料を色材とした溶剤インクを用いて軟質塩化ビニールのシート等の大面積の記録媒体に画像を形成する画像形成装置及び画像形成方法に関する。
【背景技術】
【０００２】
従来より、画像形成装置として、インクを液滴として吐出する多数のノズルを配列させたインクジェットヘッドを有するインクジェット記録装置が知られている。このインクジェット記録装置は、インクジェットヘッドと記録媒体を相対的に移動させながら、ノズルからインクを液滴として記録媒体に吐出して、記録媒体上にドットを形成することにより画像を形成するものである。
【０００３】
このようにインクジェット記録装置においては、ノズルから吐出されたインク液滴によって記録媒体上に形成されるドットを組み合わせることによって一つの画像が表現されている。また、近年では、デジタルカメラ等の普及により、デジタル画像をインクジェット記録装置でプリントすることも広く行われており、写真プリントのような高精細・高画質の画像を形成することが望まれている。
【０００４】
インクジェット記録装置による画像の高画質化のためにはインク溶媒の除去が重要であり、記録媒体にインク液滴が着弾した直後から迅速なインク溶媒除去を行うことが好ましい。
【０００５】
従来のインク溶媒除去方法としては、インク打滴後記録媒体を一様に加熱して溶媒を蒸発（乾燥）させる方法がある。これに対して、特に、記録媒体中のインクが塗布された部分（印字部）のみを選択して加熱することにより加熱エネルギー効率を向上させるようにしたものがある。
【０００６】
例えば、印刷情報により印刷用紙上のインク塗布部を判断し、格子状に配置された複数の発熱体の発熱部を、印刷用紙の移動速度に同期して移動させて、印刷用紙上のインク塗布部を加熱するようにしたものが知られている（例えば、特許文献１等参照）。
【特許文献１】特開平９−３１４８１８号公報
【発明の開示】
【発明が解決しようとする課題】
【０００７】
しかしながら、上記特許文献１に記載のものは、移動する印刷用紙上の印字相当部のみを加熱して急速に高温化することは、発熱体の時間的応答性により実際には困難である。また、印字後の印刷用紙は、一般的には熱容量が小さく、印字前の加熱のみでは十分な乾燥ができない可能性がある。さらに、印字前から印字中も加熱したとしても、印刷用紙の素材によっては、その部分的な加熱により印刷用紙が熱膨張により変形を起こし画像が劣化してしまうという問題がある。
【０００８】
本発明は、このような事情に鑑みてなされたもので、記録媒体の加熱によるインク溶媒の除去を促進するとともに、記録媒体の部分的な熱変形を防止して画像の高画質化を図った画像形成装置及び画像形成方法を提供することを目的とする。
【課題を解決するための手段】
【０００９】
前記目的を達成するために、請求項１に記載の発明は、画像データに基づいて記録媒体
に液体を液滴として吐出する吐出ヘッドと、前記記録媒体を保持する保持手段を有し、前記記録媒体を前記保持手段に保持して前記吐出ヘッドに対して搬送する搬送手段と、前記保持手段に設けられた、前記記録媒体の任意の一部分を選択的に加熱可能な加熱手段と、前記画像データに基づいて前記加熱手段を制御する制御手段と、を備え、前記記録媒体上の液体吐出率が所定値以上の領域に対しては、前記記録媒体の許容温度以下を第１の設定温度とするとともに、液体吐出率が所定値以下の領域に対しては、前記第１の設定温度より低い所定温度を第２の設定温度とした加熱パターンにより、前記記録媒体を液体吐出前から加熱することを特徴とする画像形成装置を提供する。
【００１０】
これにより、記録媒体上の液体吐出率が所定値以上の領域だけでなく、液体吐出率が所定値以下の領域でも所定の設定温度で加熱するため、記録媒体の温度分布を一定とし、液体の乾燥を促進するとともに、記録媒体の熱変形を防止することができる。
【００１１】
また、請求項２に示すように、請求項１に記載の画像形成装置であって、さらに、前記保持手段が保持している前記記録媒体に対する処理が終了した後、前記保持手段が次の記録媒体を保持する前に、前記加熱手段を冷却して前回の記録媒体に対する加熱パターンを消去する冷却手段を有することを特徴とする。
【００１２】
これにより、前回の加熱パターンが残らないため次の記録媒体に対する加熱パターンで最初から効率的に加熱することができる。
【００１３】
また、請求項３に示すように、前記搬送手段はベルトコンベアであり、前記保持手段は前記ベルトコンベア上に設けられ前記記録媒体の端部を保持する平板状のプラテンであり、前記加熱手段は前記プラテン上に一定の隙間を有してマトリクス状に配列された複数のフラットな方形のセラミックヒータで構成されることを特徴とする。
【００１４】
これにより、加熱しているセラミックヒータからの周囲への影響をなくすとともに、ベルトコンベアの回転にも対応することができ、装置構成を簡単にすることができる。
【００１５】
また、請求項４に示すように、前記液体吐出ヘッドは、４色のインクを吐出するインク吐出ヘッドであり、４色のインクの各吐出率の合計が２００％以上となる前記記録媒体上の領域に対しては、前記記録媒体の許容温度以下を第１の設定温度とするとともに、４色のインクの各吐出率の合計が５０％以下となる前記記録媒体上の領域に対しては、前記第１の設定温度より低い所定温度を第２の設定温度とした加熱パターンにより、前記記録媒体をインク吐出前からインク吐出後にかけて加熱することを特徴とする。
【００１６】
これにより、インク吐出率に応じて加熱する設定温度を変えて効率よくインク溶媒を乾燥させることができるとともに、記録媒体の変形を防止することができる。
【００１７】
また、請求項５に示すように、前記インクは顔料を色材としシクロヘキサノンを溶剤とした溶剤インクであり、前記記録媒体は軟質塩化ビニールシートであることを特徴とする。
【００１８】
これにより、街頭での外張りの看板等に用いられる大きな印刷物の画像も高品質で形成することができる。
【００１９】
また同様に前記目的を達成するために、請求項６に記載の発明は、画像データに基づいて記録媒体上に液体を液滴として吐出して画像を形成する画像形成方法であって、前記画像データに基づいて、前記記録媒体に対する液体吐出率を算出し、前記記録媒体上の液体吐出率が所定値以上の領域に対しては、前記記録媒体の許容温度以下を第１の設定温度とするとともに、液体吐出率が所定値以下の領域に対しては、前記第１の設定温度より低い所定温度を第２の設定温度とし、前記記録媒体に液体を吐出する前から前記液体吐出率に応じた前記領域ごとに設定された前記設定温度による温度制御を行い、前記記録媒体に液体を吐出した後は、前記液体吐出率に関係なく前記第２の設定温度による温度制御を行うことを特徴とする画像形成方法を提供する。
【００２０】
これにより、記録媒体の温度分布を一定とし、液体の乾燥を促進するとともに、記録媒体の熱変形を防止することができる。
【００２１】
また同様に前記目的を達成いるために、請求項７に記載の発明は、液体吐出データに基づいて記録媒体に液体を液滴として吐出する吐出ヘッドと、前記記録媒体を保持する保持手段を有し、前記記録媒体を前記保持手段に保持して前記吐出ヘッドに対して搬送する搬送手段と、前記保持手段に設けられた、前記記録媒体の任意の一部分を選択的に加熱可能な加熱手段と、前記液体吐出データに基づいて前記加熱手段を制御する制御手段と、を備え、前記記録媒体上の液体吐出率が所定値以上の領域に対しては、前記記録媒体の許容温度以下を第１の設定温度とするとともに、液体吐出率が所定値以下の領域に対しては、前記第１の設定温度より低い所定温度を第２の設定温度とした加熱パターンにより、前記記録媒体を液体吐出前から加熱することを特徴とする液滴吐出装置を提供する。
【００２２】
これにより、記録媒体上の液体吐出率が所定値以上の領域だけでなく、液体吐出率が所定値以下の領域でも所定の設定温度で加熱するため、記録媒体の温度分布を一定とし、液体の乾燥を促進するとともに、記録媒体の熱変形を防止することができる。
【００２３】
また同様に前記目的を達成いるために、請求項８に記載の発明は、液体吐出データに基づいて記録媒体上に液体を液滴として吐出する液滴吐出方法であって、前記液体吐出データに基づいて、前記記録媒体に対する液体吐出率を算出し、前記記録媒体上の液体吐出率が所定値以上の領域に対しては、前記記録媒体の許容温度以下を第１の設定温度とするとともに、液体吐出率が所定値以下の領域に対しては、前記第１の設定温度より低い所定温度を第２の設定温度とし、前記記録媒体に液体を吐出する前から前記液体吐出率に応じた前記領域ごとに設定された前記設定温度による温度制御を行い、前記記録媒体に液体を吐出した後は、前記液体吐出率に関係なく前記第２の設定温度による温度制御を行うことを特徴とする液滴吐出方法を提供する。
【００２４】
これにより、記録媒体の温度分布を一定とし、液体の乾燥を促進するとともに、記録媒体の熱変形を防止することができる。
【発明の効果】
【００２５】
以上説明したように、本発明によれば、記録媒体上の液体吐出率が所定値以上の領域だけでなく、液体吐出率が所定値以下の領域でも所定の設定温度で加熱するため、記録媒体の温度分布を一定とし、液体の乾燥を促進するとともに、記録媒体の熱変形を防止することができる。
【発明を実施するための最良の形態】
【００２６】
以下、添付図面を参照して、本発明に係る画像形成装置及び画像形成方法について詳細に説明する。
【００２７】
図１は、本発明の一実施形態に係る画像形成装置としてのインクジェット記録装置を示す概略構成図である。
【００２８】
図１に示すように、本実施形態のインクジェット記録装置１０は、各インク色に対応し
て設けられたＹインクの印字ヘッド１２Ｙ、Ｍインクの印字ヘッド１２Ｍ、Ｃインクの印字ヘッド１２Ｃ及びＫインクの印字ヘッド１２Ｋからなる印字部１２と、各印字ヘッド１２Ｙ、１２Ｍ、１２Ｃ、１２Ｋに供給するインクを貯蔵しておくインク貯蔵／装填部１４と、記録媒体１６を供給する記録媒体供給部１８と、記録媒体１６を印字部１２へ搬送する搬送部２０と、印画済みの記録媒体（プリント物）を外部に排出する記録媒体排出部２２とを備えている。
【００２９】
各インク色毎の印字ヘッド１２Ｙ、１２Ｍ、１２Ｃ、１２Ｋは、それぞれ各色のインクを液滴として記録媒体１６の表面に吐出するものである。図１に示すように、印字ヘッド１２Ｙ、１２Ｍ、１２Ｃ、１２Ｋは、搬送部２０における記録媒体１６の搬送方向（図の右から左方向）に沿って、上流側からＫ、Ｃ、Ｍ、Ｙの順に配置されている。
【００３０】
各印字ヘッド１２Ｙ、１２Ｍ、１２Ｃ、１２Ｋは、記録媒体搬送方向と略垂直方向に搬送路幅と略同一の長さをもって配設されるフルライン型ヘッドである。なお、印字ヘッド１２Ｙ、１２Ｍ、１２Ｃ、１２Ｋの構造については後で説明する。
【００３１】
本実施形態で用いるインクは、溶剤インクであり、例えば、顔料を色材としシクロヘキサノンを溶剤として用いた溶剤インクである。
【００３２】
インク貯蔵／装填部１４は、印字部１２の各印字ヘッド１２Ｙ、１２Ｍ、１２Ｃ、１２Ｋにそれぞれの色のインクを供給するものであり、各印字ヘッド１２Ｙ、１２Ｍ、１２Ｃ、１２Ｋに対応する色のインク（溶剤インク）を貯蔵するインクタンクを有し、各タンクはインク供給管によって各印字ヘッド１２Ｙ、１２Ｍ、１２Ｃ、１２Ｋと連通されている。
【００３３】
また、インク貯蔵／装填部１４は、インク残量が少なくなるとその旨を報知する報知手段（表示手段あるいは警告音発生手段等）を備えるとともに、色間の誤装填を防止するための機構を有している。
【００３４】
記録媒体供給部１８は、印字部１２に記録媒体１６を供給するものであり、図１では、記録媒体供給部１８の一例としてロール記録媒体（連続記録媒体）のマガジンが示されているが、媒体幅や媒体材質等が異なる複数のマガジンを併設してもよい。また、ロール記録媒体のマガジンに代えて、又はこれと併用して、カット記録媒体が積層装填されたカセットによって記録媒体１６を供給してもよい。
【００３５】
図１のようにロール記録媒体を使用する装置構成の場合、裁断用のカッター２４が設けられており、該カッター２４によってロール記録媒体は所望のサイズにカットされる。なお、カット記録媒体を使用する場合には、カッター２４は不要である。
【００３６】
複数種類の記録媒体を利用可能な構成にした場合、記録媒体の種類情報を記録したバーコードあるいは無線タグ等の情報記録体をマガジンに取り付け、その情報記録体の情報を所定の読取装置によって読み取ることで、使用される記録媒体の種類を自動的に判別し、記録媒体の種類に応じて適切なインク吐出を実現するようにインク吐出制御を行うことが好ましい。
【００３７】
なお、本実施形態では、記録媒体１６として例えば軟質塩化ビニールのシートが用いられる。
【００３８】
記録媒体供給部１８から送り出される記録媒体１６はマガジンに装填されていたことによる巻き癖が残り、カールしていることがある。このカールを除去するために、デカール処理部を設け、例えばマガジンの巻き癖方向と逆方向に加熱ドラムで記録媒体１６に熱を与えるようにしてもよい。このとき、多少印字面が外側に弱いカールとなるように加熱温度を制御するとより好ましい。
【００３９】
カットされた記録媒体１６は、搬送部２０へと送られる。搬送部２０は、ローラ２６、２８間に無端状のベルトコンベア３０が巻き掛けられた構造を有し、ベルトコンベア３０の表面上には、記録媒体１６を平面性を保って保持するとともにインク吐出部を選択的に加熱することができるヒータを備えたプラテン３２が配置されている。
【００４０】
プラテン３２上に配設されるヒータは、例えば、発熱体としてフラットで方形の発熱型のセラミックヒータ３４を複数、一定の隙間を開けて縦横にマトリクス状に並べたものが好適に例示される。ここで複数のセラミックヒータ３４を隣りと一定の隙間を開けて配列したのは、ＯＮで加熱しているセラミックヒータ３４がＯＦＦで加熱していない隣りのセラミックヒータ３４に影響を与えないようにするためと、ベルトコンベア３０がローラ２６、２８部分において回転する際湾曲するのに対して、ベルトコンベア３０上に配列されたセラミックヒータ３４が対応できるようにするためである。
【００４１】
また、各プラテン３２のマトリクス状に配列されたセラミックヒータ３４を制御するためにシステムコントローラ３６が設けられている。システムコントローラ３６は、画像情報から記録媒体１６上にインクが一定以上の液体吐出率（インク吐出率、印字率とも言う。以下単に吐出率と言うこともある。）で吐出される領域（一定印字領域）を算出してその部分のセラミックヒータ３４をオンにして、記録媒体１６上のインクが吐出される領域を加熱するように制御する。
【００４２】
なお、このとき記録媒体１６上の領域を選択的に加熱すると、加熱される部分と加熱されない部分との間で熱膨張差により記録媒体１６が熱変形を起こすため、この熱変形を防止するために上記一定印字領域以外の部分（一定非印字領域）も一定に加熱するようにする。
【００４３】
すなわち、一定印字領域及び一定非印字領域それぞれに加熱のための設定温度を設定し（また必要に応じてその他の領域にもそれに応じた設定温度を設け）、記録媒体１６上の領域毎にそれぞれの設定温度が設定された加熱パターンによって記録媒体１６に対する加熱制御が行われる。
【００４４】
この加熱制御については、後で詳しく説明する。
【００４５】
プラテン３２上のセラミックヒータ３４は、印字前から記録媒体１６を加熱し、記録媒体１６上に吐出されたインクの溶媒の除去を促進させるために印字後も加熱を続ける。印画済みの記録媒体１６は記録媒体排出部２２から排出される。プラテン３２は、ベルトコンベア３０の移動に伴って移動し、次の記録媒体１６の供給を受けるが、前の記録媒体１６の加熱パターンの影響を取り除くために、ベルトコンベア３０が印字部１２とは反対側を搬送される際、冷却ファン３８により冷却される。このように新たな記録媒体１６の供給を受ける前にプラテン３２を冷却することで、次の記録媒体１６に対する加熱パターンにより最初からプラテン３２（及びその上に保持された記録媒体１６）を加熱することができる。
【００４６】
次に、印字ヘッド１２Ｙ、１２Ｍ、１２Ｃ、１２Ｋについて説明する。インク色毎に設けられている各印字ヘッド１２Ｙ、１２Ｍ、１２Ｃ、１２Ｋの構造は共通しているため、以下これらを代表して符号５０によって表し、印字ヘッド５０とする。
【００４７】
図２に印字ヘッド５０（１２Ｙ、１２Ｍ、１２Ｃ、１２Ｋ）の構造例を平面透視図によって示す。
【００４８】
図２に示すように、本実施形態の印字ヘッド５０は、インクを吐出するノズル５１、インクを吐出する際インクに圧力を付与する圧力室５２、図示しない共通流路から圧力室５２にインクを供給するインク供給口５３を含んで構成される圧力室ユニット５４が２次元的に配列され、ノズル５１の高密度化が図られている。
【００４９】
図２に示すように、各圧力室５２は、上方から見ると略正方形状をしており、その対角線の一方の端にノズル５１が形成され、他方の端にインク供給口５３が設けられている。
【００５０】
また、図２中に示した一点鎖線３Ａ−３Ｂに沿って１つの圧力室ユニット５４を切断した断面図を図３に示す。
【００５１】
図３に示すように、圧力室ユニット５４は、インクを吐出するノズル５１が形成された圧力室５２によって形成され、圧力室５２には、供給口５３を介してインクを供給する共通流路５５が連通するとともに、圧力室５２の一面（図では天面）は通常吐出用の振動板５６で構成され、その上部には、個別電極５７を備えた圧電素子５８が接合されている。
【００５２】
この個別電極５７に駆動電圧を印加することによって圧電素子５８が変形して振動板５６が撓み、圧力室５２の容積が縮小されてノズル５１からインクが吐出されるようになっている。インクが吐出されると圧電素子５８がもとに戻り、圧力室５２の容積が元の大きさに回復し、共通流路５５から供給口５３を通って新しいインクが圧力室５２に供給されるようになっている。
【００５３】
図４は、インクジェット記録装置１０のシステム構成を示す要部ブロック図である。インクジェット記録装置１０は、通信インターフェース７０、システムコントローラ３６、画像メモリ７４、モータドライバ７６、ヒータドライバ７８、プリント制御部８０、画像バッファメモリ８２、ヘッドドライバ８４等を備えている。
【００５４】
通信インターフェース７０は、ホストコンピュータ８６から送られてくる画像データを受信するインターフェース部である。通信インターフェース７０にはＵＳＢ、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリ（図示省略）を搭載してもよい。ホストコンピュータ８６から送出された画像データは通信インターフェース７０を介してインクジェット記録装置１０に取り込まれ、一旦画像メモリ７４に記憶される。画像メモリ７４は、通信インターフェース７０を介して入力された画像を一旦格納する記憶手段であり、システムコントローラ３６を通じてデータの読み書きが行われる。画像メモリ７４は、半導体素子からなるメモリに限らず、ハードディスクなどの磁気媒体を用いてもよい。
【００５５】
システムコントローラ３６は、通信インターフェース７０、画像メモリ７４、モータドライバ７６、ヒータドライバ７８等の各部を制御する制御部である。システムコントローラ３６は、中央演算処理装置（ＣＰＵ）及びその周辺回路等から構成され、ホストコンピュータ８６との間の通信制御、画像メモリ７４の読み書き制御等を行うとともに、搬送系のモータ８８やセラミックヒータ３４を制御する制御信号を生成する。
【００５６】
モータドライバ７６は、システムコントローラ３６からの指示に従ってモータ８８を駆動するドライバ（駆動回路）である。ヒータドライバ７８は、システムコントローラ３６からの指示にしたがってプラテン３２上に配列されたセラミックヒータ３４を駆動するド
ライバである。
【００５７】
プリント制御部８０は、システムコントローラ３６の制御に従い、画像メモリ７４内の画像データから印字制御用の信号を生成するための各種加工、補正などの処理を行う信号処理機能を有し、画像データから生成した印字制御信号（印字データ）をヘッドドライバ８４に供給する制御部である。プリント制御部８０において所要の信号処理が施され、該画像データ（液体吐出データ）に基づいてヘッドドライバ８４を介して印字ヘッド５０のインク液滴の吐出量や吐出タイミングの制御が行われる。これにより、所望のドットサイズやドット配置が実現される。
【００５８】
プリント制御部８０には画像バッファメモリ８２が備えられており、プリント制御部８０における画像データ処理時に画像データやパラメータなどのデータが画像バッファメモリ８２に一時的に格納される。なお、図４において画像バッファメモリ８２はプリント制御部８０に付随する態様で示されているが、画像メモリ７４と兼用することも可能である。また、プリント制御部８０とシステムコントローラ３６とを統合して１つのプロセッサで構成する態様も可能である。
【００５９】
ヘッドドライバ８４はプリント制御部８０から与えられる印字データに基づいて各色の印字ヘッド５０の圧力発生手段を駆動する。ヘッドドライバ８４にはヘッドの駆動条件を一定に保つためのフィードバック制御系を含んでいてもよい。
【００６０】
なお、図１では省略したが、印字部１２の搬送方向下流側に印字結果を検出する印字検出部を設け、印字検出部から得られる情報に基づいてプリント制御部８０は印字ヘッド５０に対する各種補正を行うようにしてもよい。
【００６１】
以下、本願発明のポイントである記録媒体上の一定以上の液体吐出率（印字率）でインクが吐出される一定印字領域への選択的加熱を行うヒータを備えたプラテン３２と、その具体的加熱制御方法、特に、選択的加熱による熱変形を防止しつつインク溶媒除去を促進する制御方法について詳細に説明する。
【００６２】
なお、本実施形態においては、記録媒体としては、前述したように軟質塩化ビニールのシートが用いられるが、具体的には看板や駅張り等の屋外広告向けの、例えば媒体幅が１６５０ｍｍ×媒体長さ３１００ｍｍ等の大きな記録媒体が用いられる。また、インクとしてはシクロヘキサノンを溶媒とした溶剤インクが用いられる。
【００６３】
図５に、ヒータ付きのプラテン３２を拡大した斜視図で示す。
【００６４】
前述したように、プラテン３２は、記録媒体１６を搬送しながら加熱するものであり、記録媒体１６の大きさに対応した大きさを有している。今、記録媒体１６は、媒体幅１６５０ｍｍの塩化ビニールシートであり、プラテン３２はこれより一回り大きな平板状を有している。
【００６５】
図５に示すように、プラテン３２の表面上には、１００ｍｍ×１００ｍｍのフラットな正方形状のセラミックヒータ３４が、互いに数ｍｍの隙間を開けて、縦横に１６個×３０個、マトリクス状に配列されている。このように各セラミックヒータ３４を互いに一定の隙間を開けて配列するのは、前述したように、ＯＮで加熱しているセラミックヒータ３４がＯＦＦで加熱していない隣りのセラミックヒータ３４に影響を与えないようにヒータ間での熱遮断のためと、ベルトコンベア３０がローラ２６、２８部分において回転する際湾曲するのに対して、ベルトコンベア３０上に配列されたセラミックヒータ３４が対応できるようにするためである。
【００６６】
従って、プラテン３２の幅をＬ１、長さをＬ２とすると、Ｌ１は１６００ｍｍよりも隙間及び両側の幅の分だけ長く、またＬ２は３０００ｍｍよりも隙間及び前後の幅の分だけ長い。
【００６７】
また、プラテン３２の搬送方向下流側の端部には、記録媒体１６の先端を検出して記録媒体１６の先端部を把持する位置決め手段３３が設置されている。この位置決め手段３３は、特に限定されるものではないが、例えば、記録媒体１６の先端が突き当たると押さえ爪等で記録媒体１６の先端を抑えるようにするものが好適に例示される。これは、例えば図１に示すように、ベルトコンベア３０の移動に伴い、プラテン３２が記録媒体供給部１８側のローラ２６の回りを回って来たときに、記録媒体１６をプラテン３２の移動速度より速い速度でプラテン３２上に送り出し、記録媒体１６の先端が位置決め手段３３の突き当て部に突き当たるようにし、突き当たったことを合図に、位置決め手段３３に設けられた押さえ爪で記録媒体１６の先端部を抑えるようにすればよい。
【００６８】
図６に、ベルトコンベア３０上に設置されたプラテン３２の部分的断面図を示す。図６に示すように、ベルトコンベア３０上にプラテン３２が配置され、プラテン３２上に数ｍｍの間隔を保ってフラットなセラミックヒータ３４が配列されている。各セラミックヒータ３４には、それぞれ配線３５が接続され、それぞれを独立にＯＮ−ＯＦＦ制御可能なように構成され、各セラミックヒータ３４には温度センサが備えられている。また、図示は省略するが、各配線３５は、ベルトコンベア３０の移動と両立するように、回転可能な接点を介してシステムコントローラ３６と接続されている。
【００６９】
次に、記録媒体１６を保持して搬送するプラテン３２のセラミックヒータ３４の温度制御について説明する。
【００７０】
本願発明は、簡単に言うと、画像情報に基づいて記録媒体１６上に一定以上の吐出率（印字率）でインクが吐出される一定印字領域に対して選択的に加熱を行い溶媒除去を促進するとともに、選択的に加熱することによる記録媒体１６の熱変形を防止するために一定以下の吐出率（印字率）でインクが吐出される一定非印字領域に対しても一定に加熱を行うものである。
【００７１】
なお、ここでは、一定印字領域及び一定非印字領域とは、具体的には、記録媒体１６を保持するプラテン３２上の各セラミックヒータ３４の１００ｍｍ×１００ｍｍの領域に対応する記録媒体１６上の領域に対して、４色のインクの吐出率（印字率）の合計が２００％以上の吐出率（すなわち、各色のインクについて平均５０％以上の吐出率）となる領域を一定印字領域と言い、４色のインクの吐出率の合計が５０％以下の吐出率となる領域を一定非印字領域と言うことにする。
【００７２】
図７に、一定印字領域に対応するセラミックヒータ３４に対する温度制御の様子を示す。
【００７３】
図７において、横軸は時間を表し、縦軸はヒータ制御温度を表している。ここで、横軸の時間は、プラテン３２上に記録媒体１６が載置されセラミックヒータ３４が加熱を開始してから、記録媒体１６に印字が行われ、記録媒体１６を排出した後、印字部１２の反対側でプラテン３２を冷却し、次の記録媒体１６を載置する位置までベルトコンベア３０が一周する間を表している。
【００７４】
また、縦軸の温度において、ＴＲは室温であり、Ｔ１は記録媒体１６に対する加熱許容温度であり、Ｔ１’はＴ１まで加熱された記録媒体１６がインク吐出によって低下する温度である。例えば、室温ＴＲは２０℃、許容温度Ｔ１は記録媒体１６が塩化ビニールシートの場合７０℃であり、Ｔ１’は６５℃である。
【００７５】
図７に示すように、一定印字領域においては、印字時に記録媒体１６が許容温度Ｔ１に達するように加熱を行う。例えば、今記録媒体１６を媒体幅１６５０ｍｍ、媒体長さ３１００ｍｍの塩化ビニールシートとし、記録媒体搬送速度を１０００ｍｍ／分とすると、印字前の事前加熱を行う時間ｔ０〜ｔ１は３分となる。この時間ｔ０〜ｔ１の間は、一定以上の吐出率となる部分（一定印字領域）に相当するセラミックヒータ３４をＯＮにして許容温度Ｔ１になるまで加熱を行う。
【００７６】
次の時間ｔ１〜ｔ２の間においては、セラミックヒータ３４をＯＮ−ＯＦＦ制御して温度を許容温度Ｔ１に保つようにする。そしてこの時間ｔ１〜ｔ２の間に印字部１２から記録媒体１６に対して印字が行われる。印字密度は例えば６００×６００ｄｐｉ（ドット・パー・インチ）で印字が行われ、インク滴が記録媒体１６上に着弾するとインク滴によって熱が奪われるためその部分の記録媒体１６（セラミックヒータ３４）の温度が図に示すようにＴ２まで低下する。図７には打滴タイミングの異なる複数の場合を破線で示している。
【００７７】
次の時間ｔ２〜ｔ３においても、セラミックヒータ３４をＯＮ−ＯＦＦ制御する。この間に記録媒体１６上に打滴されたインク滴の溶媒が蒸発・乾燥されて除去され、記録媒体排出部２２から排出される。
【００７８】
次の時間ｔ３〜ｔ４以降においては、セラミックヒータ３４はＯＦＦされプラテン３２の加熱は中断される。そして、ローラ２８の回りを回ってベルトコンベア３０の下側を搬送されるとき、時間ｔ４〜ｔ５において、冷却ファン３８によりプラテン３２（セラミックヒータ３４）が室温ＴＲまで冷却され、いままでの加熱パターンが消去される。そして、時間ｔ５〜ｔ６において、ベルトコンベア３０の移動にともないプラテン３２はローラ２６の回りを回って次の記録媒体１６の供給を受ける位置に搬送される。
【００７９】
また、図８に、一定非印字領域（吐出率０％）に対応するセラミックヒータ３４に対する温度制御の様子を示す。
【００８０】
図８も図７と同様、横軸は時間、縦軸はヒータ制御温度を表し、横軸の時間はプラテン３２を搬送するベルトコンベア３０の一周分を表している。また、縦軸の温度において、ＴＲは室温であり、Ｔ２は記録媒体１６の伸び縮み（選択的な加熱による熱変形）を防止るために記録媒体１６の吐出率が一定以下の領域（一定非印字領域）に加えるべき所定の温度である。
【００８１】
図８に示すように、一定非印字領域においては、時間ｔ０〜ｔ１の間は記録媒体１６の伸び縮みを防止するのに必要な程度の温度Ｔ２まで加熱する。この温度Ｔ２は、例えば記録媒体１６が塩化ビニールシートの場合には、大体６５℃程度である。
【００８２】
次の時間ｔ１〜ｔ２及び時間ｔ２〜ｔ３においては、セラミックヒータ３４をＯＮ−ＯＦＦ制御して温度Ｔ２を保つようにして、記録媒体１６が局所的に熱変形するのを抑制する。そして、時間ｔ３以降においては、セラミックヒータ３４をＯＦＦして加熱を中断する。
【００８３】
図９に、吐出率（印字率）とセラミックヒータ３４の設定温度の関係を示す。
【００８４】
図９において、横軸は吐出率（印字率）であり、縦軸は設定温度である。ただし、吐出率（印字率）は４色のカラー印刷を行うインクジェット記録装置を想定しており、最大１００％×４で４００％である。また、縦軸の設定温度において、Ｔ１は記録媒体１６の許容温度であり、記録媒体１６の一定印字領域を加熱する際の設定温度であり、Ｔ２は記録媒体１６の一定非印字領域を加熱する際の設定温度であり、またＴＲは室温である。ここで、例えば記録媒体１６が塩化ビニールシートの場合には、およそＴ１は７０℃、Ｔ２は６５℃に設定される。
【００８５】
図９に示すように、４色のインクの吐出率（印字率）の合計が２００％以上の一定印字領域の場合には設定温度は全てＴ１に設定され、４色のインクの吐出率（印字率）の合計が５０％以下の一定非印字領域の場合には設定温度はＴ２に設定される。また、４色のインクの吐出率（印字率）の合計が５０％から２００％の間の領域に対する設定温度は直線によって補間された値とする。
【００８６】
以下、より具体的な温度制御について説明する。
【００８７】
記録媒体１６は、軟質ポリ塩化ビニールのシートであり、厚み０．５ｍｍ、比熱０．４ｃａｌ／℃ｇ、比重１．２５、許容温度７０℃とする。なお、実際の看板用途での塩化ビニールシートの厚みは０．３〜１．０ｍｍ程度である。
【００８８】
インクは、シクロヘキサノン溶媒の顔料インクであり、顔料濃度５％（溶媒９０％とする）、比熱０．４５ｃａｌ／℃ｇ、蒸発潜熱１００ｃａｌ／ｇ、比重１．０とする。
【００８９】
また、プリントへのインク吐出量は、吐出率合計２００％時に１２ｇ／ｍ２とする。これは、画像濃度ＣＭＹＫ各吐出率５０％時のグレーベタ画像の実測値である。
【００９０】
図１０に示すように、この厚みｔ＝０．５ｍｍの塩化ビニールシート１１６を７０℃に加熱して、印字部１２で４色のインクを吐出した後、インク溶媒を乾燥させる。この場合の、塩化ビニールシート１１６の１ｍ２当たりの、当初の７０℃加熱状態での保有熱量、インク吐出によって放出される熱量及びインク溶媒を乾燥させる際のインク蒸発の熱量をそれぞれ計算する。
【００９１】
まず７０℃に加熱した状態での塩化ビニールシート１１６の保有熱量は、比熱と体積（面積×厚み）と比重の積であり、０．４［ｃａｌ／℃ｇ］×５００［ｃｍ３／ｍ２］×１．２５［ｇ／ｃｍ３］＝２５０［ｃａｌ／℃ｍ２］となる。
【００９２】
次に、インク吐出によって放出される熱量を算出する。今塩化ビニールシート１１６の温度は７０℃であり、これに対してインク温度３０℃のインクが吐出されるとする。このときの失われる熱量は、塩化ビニールシートとインクの温度差とインクの比熱とインク吐出量との積であり、（７０−３０）［℃］×０．４５［ｃａｌ／℃ｇ］×１２［ｇ／ｍ２］＝２１６［ｃａｌ／ｍ２］となる。
【００９３】
また、インク蒸発の熱量は、インク吐出量とインク溶媒の割合と蒸発潜熱との積であり、１２［ｇ／ｍ２］×９０［％］×１００［ｃａｌ／ｇ］＝１０８０［ｃａｌ／ｍ２］となる。
【００９４】
これにより、７０℃に加熱された塩化ビニールシート１１６の、インク吐出とインク乾燥（蒸発）による温度低下は、（２１６＋１０８０）［ｃａｌ／ｍ２］÷２５０［ｃａｌ／℃ｍ２］＝５．１８［℃］となる。
【００９５】
次に、一定印字領域と一定非印字領域に対する具体的な温度制御について説明する。
【００９６】
前述したように、一定印字領域とはインクが一定以上の吐出率で吐出される領域であるが、特にここでは４色のインクの吐出率の合計が２００％以上（すなわち各色のインクについて平均５０％以上）の吐出率となる領域である。また、一定非印字領域とはインクが一定以下の吐出率で吐出される領域であり、特にここでは４色のインクの吐出率の合計が５０％以下の吐出率となる領域である。
【００９７】
図１１に、一定印字領域及び一定非印字領域に対する具体的な温度制御方法を示す。
【００９８】
図１１において、横軸は時間、縦軸はヒータ温度であり、図中実線のグラフは吐出率２００％以上の領域の温度変化、一点鎖線のグラフは吐出率１００％の領域の温度変化、破線のグラフは吐出率５０％以下の領域の温度変化を表す。
【００９９】
図１１に示す温度制御は、吐出率２００％以上の一定印字領域においては、インク溶媒の乾燥効果を極力あげるため記録媒体の許容温度ぎりぎりまで加熱しようとすると、吐出率５０％以下の一定非印字領域との間で熱膨張率の差から記録媒体が局所的な熱変形で歪むので、それを防止するために一定印字領域と一定非印字領域との間でなるべく温度差が生じないように制御しようというものである。
【０１００】
そこで、記録媒体の許容温度限界まで加熱されていた一定印字領域に対してインクが吐出されて温度が低下した場合と同じになるように一定非印字領域の温度を制御する。つまり、一定印字領域の設定温度と一定非印字領域の設定温度にインクの温調分とインク蒸発潜熱分に相当する熱量分だけの温度差をつけるようにする。
【０１０１】
図１１に図７、図８のヒータ制御を行った時の記録媒体温度を示す。一定印字領域に対する設定温度（目標温度）Ｔ１を７０℃、一定非印字領域に対する設定温度（目標温度）Ｔ２を６５℃とする。
【０１０２】
一定印字領域及び一定非印字領域ともに時間ｔａからヒータをＯＮにして記録媒体の加熱を開始する。また、一定印字領域のヒータをＴ１に設定する。図に矢印で示すようにインクが吐出されるとインクの蒸発によって６５℃まで温度が低下し始める。
【０１０３】
また、インク吐出後の時間ｔｂ後も、一定非印字領域のヒータはＴ２に継続的に制御されるがインク吐出により温度が低下した後、温度が上昇して６５℃に達する。
【０１０４】
一定印字領域の温度は、インク蒸発分の５℃温度が低下するものとする。これにより、一定印字領域は７０℃から６５℃まで低下する。吐出率２００以上の領域では、インク吐出後のｔｂ時に温度制御をＯＦＦにして、Ｔ２温度制御を開始する。また、吐出率５０％以下の領域では、ずっとＴ２温度制御を継続する。
【０１０５】
このようにどちらの領域もヒータはＴ２に制御されているので、その後の温度変化は同じである。
【０１０６】
以上のように温度制御することにより、記録媒体に温度差が生じないようにして、記録媒体の変形を防止することで画像品質を向上させることが可能となる。
【０１０７】
以上の温度制御を図１２のフローチャートを用いて再度説明する。
【０１０８】
まず図１２のステップＳ１００において、画像データが入力されると、ステップＳ１０２において入力された画像データはＹ、Ｍ、Ｃ、Ｋのドット印字データに変換される。そして、ステップＳ１０４において、セラミックヒータに対応する範囲におけるヒータ１〜Ｎ位置の吐出率（Ｙ、Ｍ、Ｃ、Ｋの合計）が算出される。ここでヒータに対応する範囲とは、１００ｍｍ×１００ｍｍのヒータに対してその両側に隙間０．１５６ｍｍを有するため、１００．３１２ｍｍ×１００．３１２ｍｍである。なお、実施例ではヒータ個数Ｎは、１６×３０個よりＮ＝４８０個である。
【０１０９】
次にステップＳ１０６において、各位置の吐出率より設定温度が設定される。ここで、吐出率が２００％以上の領域ではＴ１が設定温度として設定され、吐出率が５０％以下の領域ではＴ２が設定温度として設定され、吐出率が５０％〜２００％の領域においては、Ｔ３＝（Ｔ１＋Ｔ２）／２が設定温度として設定される。
【０１１０】
一方、ステップＳ１０８において、記録媒体の厚さデータがオペレータ（作業者）によって入力され、ステップＳ１１０において、この厚さデータを用いて吐出率２００％時の温度低下ΔＴが算出される。ここで、インク物性（溶媒量／比熱／蒸発潜熱、比重）は既知とする。また比熱、比重、許容温度Ｔ１等の記録媒体特性は既知とする。次に、ステップＳ１１２において式、Ｔ２＝Ｔ１−ΔＴにより設定温度Ｔ２を算出する。ステップＳ１０６においては、これらの値を用いて設定温度の設定が行われる。なお、記録媒体の厚さに応じてＴ２をテーブルとしてメモリに持っておくようにしてもよい。
【０１１１】
次に、ステップＳ１１４においては、吐出率が５０％以下の領域に対してヒータをＴ２温度に設定する制御を開始する。またステップＳ１１６においては、吐出率が５０％〜２００％の領域に対してヒータをＴ３温度に設定する制御を開始する。さらに、ステップＳ１１８においては、吐出率が２００％以上の領域に対してヒータをＴ１温度に設定する制御を開始する。
【０１１２】
次に、ステップＳ１２０において、プラテン３２上に記録媒体１６を搬送し、次のステップＳ１２２において記録媒体１６上に液体の吐出を開始する。
【０１１３】
液体吐出後は、ステップＳ１２４において、吐出率に関係なく温度をＴ２に制御する。このとき液体が吐出された記録媒体位置に対応するヒータより順次温度設定をＴ２に変えて制御する。そしてステップＳ１２６において液体吐出が終了すると、次のステップＳ１２８において記録媒体１６をプラテン３２より排出し、ステップＳ１３０において記録媒体が排出された位置から順次ヒータをＯＦＦする。そして、ステップ１３２においてプラテン３２を冷却ファン３８により冷却する。
【０１１４】
以上説明したように、本実施形態によれば、インクをたくさん打つところ（一定印字領域）でのインク溶媒除去を促進するとともに、インクをあまり（あるいは全く）打たないところ（一定非印字領域）との温度差をなくし記録媒体上の温度分布をなるべく一定にするようにすることで、記録媒体の変形を防止することができ、画像品質を向上させることが可能となる。
【０１１５】
以上、本発明の画像形成装置及び画像形成方法について詳細に説明したが、本発明は、以上の例には限定されず、本発明の要旨を逸脱しない範囲において、各種の改良や変形を行ってもよいのはもちろんである。
【図面の簡単な説明】
【０１１６】
【図１】本発明の一実施形態の画像形成装置としてのインクジェット記録装置を示す概略構成図である。
【図２】図１のインクジェット記録装置の印字ヘッドの構造例を示す平面透視図である。
【図３】図２の印字ヘッドの圧力室ユニットの構造を示す断面図である。
【図４】本実施形態のインクジェット記録装置のシステム構成を示す要部ブロック図である。
【図５】本実施形態のプラテンの概略を示す斜視図である。
【図６】ベルトコンベア上に配置されたプラテンを示す断面図である。
【図７】一定以上の吐出率の領域に対する温度制御を示す線図である。
【図８】一定以下の吐出率の領域に対する温度制御を示す線図である。
【図９】吐出率とヒータ設定温度との関係を示す線図である。
【図１０】記録媒体への印字と加熱制御の様子を示す説明図である。
【図１１】一定以上の吐出率の領域と一定以下の吐出率の領域との温度差をなくすように温度制御する様子を示す線図である。
【図１２】本実施形態の加熱制御を示すフローチャートである。
【符号の説明】
【０１１７】
１０…インクジェット記録装置、１２…印字部、１４…インク貯蔵／装填部、１６…記録媒体、１８…記録媒体供給部、２０…搬送部、２２…記録媒体排出部、２４…カッター、２６、２８…ローラ、３０…ベルトコンベア、３２…プラテン、３４…セラミックヒータ、３６…システムコントローラ、３８…冷却ファン、５０…印字ヘッド、５１…ノズル、５２…圧力室、５３…インク供給口、５４…圧力室ユニット、５５…共通流路、５６…振動板、５７…個別電極、５８…圧電素子、７０…通信インターフェース、７４…画像メモリ、７６…モータドライバ、７８…ヒータドライバ、８０…プリント制御部、８２…画像バッファメモリ、８４…ヘッドドライバ、８６…ホストコンピュータ
【図１】
2008044367.tif 000003
【図２】
2008044367.tif 000004
【図３】
2008044367.tif 000005
【図４】
2008044367.tif 000006
【図５】
2008044367.tif 000007
【図６】
2008044367.tif 000008
【図７】
2008044367.tif 000009
【図８】
2008044367.tif 000010
【図９】
2008044367.tif 000011
【図１０】
2008044367.tif 000012
【図１１】
2008044367.tif 000013
【図１２】
2008044367.tif 000014